【手続補正書】
【提出日】平成15年5月30日(2003.5.30)
【手続補正１】
【補正対象書類名】明細書
【補正対象項目名】特許請求の範囲
【補正方法】変更
【補正の内容】
【特許請求の範囲】
【請求項１】
血管の脆弱性プラークを治療する方法であって、前記脆弱性プラークが、流体を放出可能な状態で保持しており、前記方法は、
前記脆弱性プラークの近傍の前記血管を、前記保持流体の前記血管への放出を抑制するのに十分な温度にまで冷却する工程を包含する方法。
【請求項２】
血管の脆弱性プラークを治療する方法であって、前記脆弱性プラークが、流体を放出可能な状態で保持しており、前記方法は、
前記脆弱性プラークを検出する工程と、
前記脆弱性プラークの近傍の前記血管を、前記保持流体の前記血管への放出を抑制するのに十分な温度にまで冷却する工程と
を包含する方法。
【請求項３】
血管の脆弱性プラークを検出する方法であって、前記方法は、
プラークの近傍の前記血管管腔内にバルーンを配置する工程と、
前記バルーンに貼り付けられた複数の温度センサが前記血管管腔の表面に接続されるように前記バルーンを膨張させる工程と、
前記管腔表面に沿った温度差を前記センサによって感知する工程と
を包含する方法。
【請求項４】
管腔表面を有する血管の脆弱性プラークを検出し治療するための凍結療法カテーテルであって、前記カテーテルは、
近端部と遠端部とこれらの間に延出する冷却流体供給管腔および排出管腔とを有するカテーテル本体と、
前記カテーテル本体の前記遠端部に配置された第１バルーンであって、前記第１バルーンは前記供給管腔および前記排出管腔に流体連絡する内面を有する、第１バルーンと、
前記第１バルーン上にその間に熱バリアを形成した状態で配置される第２バルーンと、
前記管腔表面の温度測定を提供するべく前記第２バルーンに貼り付けられた複数の温度センサと
を備えた凍結療法カテーテル。
【請求項５】
請求項４に記載の凍結療法カテーテルであって、前記複数の温度センサは、前記第２バルーンの外面に貼り付けられている凍結療法カテーテル。
【請求項６】
請求項５に記載の凍結療法カテーテルであって、前記複数の温度センサは、前記管腔表面の直接温度測定を提供する、凍結療法カテーテル。
【請求項７】
請求項４に記載の凍結療法カテーテルであって、前記複数の温度センサは前記第２バルーンの内面に貼り付けられている凍結療法カテーテル。
【請求項８】
請求項４に記載の凍結療法カテーテルであって、前記複数の温度センサは、熱電対またはサーミスタである凍結療法カテーテル。
【請求項９】
請求項４に記載の凍結療法カテーテルであって、前記複数の温度センサは、前記第２バルーンの周部に貼り付けられている凍結療法カテーテル。
【請求項１０】
請求項４に記載の凍結療法カテーテルであって、さらに、前記カテーテルの前記近端部に温度読み取り装置へのコネクタを備える凍結療法カテーテル。
【請求項１１】
管腔表面を有する血管の脆弱性プラークを検出するためのカテーテルであって、前記カテーテルは、
近端部と遠端部とこれらの間の供給管腔および排出管腔とを有するカテーテル本体と、
前記カテーテル本体の前記遠端部に配置されたバルーンであって、前記バルーンは、前記供給管腔および前記排出管腔に流体連絡する内面を有する、バルーンと、
前記管腔表面の温度測定を提供するべく前記バルーンによって支持された複数の温度センサと
を備えたカテーテル。
【請求項１２】
請求項１１に記載のカテーテルであって、前記複数の温度センサは、前記管腔表面の直接温度測定を提供するべく前記バルーンの外面に貼り付けられているカテーテル。
【請求項１３】
請求項１１に記載のカテーテルであって、さらに、前記カテーテルの前記近端部に温度読み取り装置に対するコネクタを備えるカテーテル。
【請求項１４】
請求項１３に記載のカテーテルであって、さらに、前記コネクタに取付けられて温度差を測定する回路を備えるカテーテル。
【請求項１５】
請求項１４に記載のカテーテルであって、さらに、前記コネクタに配置されたインジケータを備えるカテーテル。
【請求項１６】
請求項１１に記載のカテーテルであって、前記複数の温度センサは、熱電対またはサーミスタを備えるカテーテル。
【請求項１７】
請求項１１に記載のカテーテルであって、前記複数の温度センサは、第２バルーンの周部に貼り付けられているカテーテル。
【請求項１８】
血管の脆弱性プラークを治療するためのキットであって、前記脆弱性プラークが、流体を放出可能な状態で保持しており、前記キットは、
近端部と遠端部と冷却部材とを有するカテーテルと、
前記カテーテルの使用取扱説明書であって、前記使用取扱説明書は、前記保持流体の前記血管内への放出を抑制するべく前記脆弱性プラークの近傍の前記血管を冷却するステップを含む、使用取扱説明書と
を含むキット。
【請求項１９】
血管の脆弱性プラークを検出するためのキットであって、前記キットは、
近端部と遠端部とその遠端部の近傍に複数の温度センサを備えたバルーン部材とを有するカテーテルと、
請求項３に記載の方法に従って、前記カテーテルを使用するための取扱説明書と
を含むキット。
【請求項２０】
患者の血管内のプラークを治療するためのシステムであって、前記システムは、
脆弱性プラークを同定するためのプラーク特徴付け手段であって、前記脆弱性プラークが前記プラークの少なくとも一部を含む、プラーク特徴付け手段と、
前記プラーク特徴付け手段によって同定された前記脆弱性プラークを治療するための脆弱性プラーク治療手段と
を含み、
前記プラーク特徴付け手段と前記脆弱性プラーク治療手段との少なくとも一方は、
近端部と遠端部とを有するカテーテル本体と、
前記カテーテル本体の前記遠端部の近傍に配置されたバルーンと、
前記血管内での前記バルーンの膨張を許容するべく前記バルーンと流体連絡状態にある冷却流体供給部と
を備えたシステム。
【請求項２１】
保持流体を放出可能な状態で保持する血管の脆弱性プラークを治療する装置であって、前記装置は、
前記脆弱性プラークの近傍の前記血管を、前記保持流体の前記血管への放出を抑制するのに十分な温度にまで冷却する手段を備える装置。
【請求項２２】
保持流体を放出可能な状態で保持する血管の脆弱性プラークを治療する装置であって、前記装置は、
前記脆弱性プラークを検出する手段と、
前記脆弱性プラークの近傍の前記血管を、前記保持流体の前記血管への放出を抑制するのに十分な温度にまで冷却する手段と
を備える装置。
【請求項２３】
血管の脆弱性プラークを検出する装置であって、前記装置は、
プラークの近傍の前記血管管腔内にバルーンを配置する手段と、
前記バルーンに貼り付けられた複数の温度センサが前記血管管腔の表面に接続されるように前記バルーンを膨張させる手段と、
前記管腔表面に沿った温度差を前記センサによって感知する手段と
を備える装置。
【手続補正２】
【補正対象書類名】図面
【補正対象項目名】図１Ａ
【補正方法】変更
【補正の内容】
【図１Ａ】
2004506470.tif 000001
【手続補正３】
【補正対象書類名】図面
【補正対象項目名】図１Ｂ
【補正方法】変更
【補正の内容】
【図１Ｂ】
2004506470.tif 000002
【手続補正４】
【補正対象書類名】図面
【補正対象項目名】図２
【補正方法】変更
【補正の内容】
【図２】
2004506470.tif 000003
【手続補正５】
【補正対象書類名】図面
【補正対象項目名】図３
【補正方法】変更
【補正の内容】
【図３】
2004506470.tif 000004
【手続補正６】
【補正対象書類名】図面
【補正対象項目名】図４
【補正方法】変更
【補正の内容】
【図４】
2004506470.tif 000005
【手続補正７】
【補正対象書類名】図面
【補正対象項目名】図５
【補正方法】変更
【補正の内容】
【図５】
2004506470.tif 000006
【手続補正８】
【補正対象書類名】図面
【補正対象項目名】図６
【補正方法】変更
【補正の内容】
【図６】
2004506470.tif 000007
【手続補正９】
【補正対象書類名】図面
【補正対象項目名】図８Ａ
【補正方法】変更
【補正の内容】
【図８Ａ】
2004506470.tif 000008
【手続補正１０】
【補正対象書類名】図面
【補正対象項目名】図８Ｂ
【補正方法】変更
【補正の内容】
【図８Ｂ】
2004506470.tif 000009
【手続補正１１】
【補正対象書類名】図面
【補正対象項目名】図１０Ａ
【補正方法】変更
【補正の内容】
【図１０Ａ】
2004506470.tif 000010
【手続補正１２】
【補正対象書類名】図面
【補正対象項目名】図１０Ｂ
【補正方法】変更
【補正の内容】
【図１０Ｂ】
2004506470.tif 000011
【手続補正１３】
【補正対象書類名】図面
【補正対象項目名】図１１Ａ
【補正方法】変更
【補正の内容】
【図１１Ａ】
2004506470.tif 000012
【手続補正１４】
【補正対象書類名】図面
【補正対象項目名】図１１Ｂ
【補正方法】変更
【補正の内容】
【図１１Ｂ】
2004506470.tif 000013
【手続補正１５】
【補正対象書類名】図面
【補正対象項目名】図１１Ｃ
【補正方法】変更
【補正の内容】
【図１１Ｃ】
2004506470.tif 000014
【手続補正１６】
【補正対象書類名】図面
【補正対象項目名】図１２Ｂ
【補正方法】変更
【補正の内容】
【図１２Ｂ】
2004506470.tif 000015
【手続補正１７】
【補正対象書類名】図面
【補正対象項目名】図１３Ａ
【補正方法】変更
【補正の内容】
【図１３Ａ】
2004506470.tif 000016
【手続補正１８】
【補正対象書類名】図面
【補正対象項目名】図１３Ｂ
【補正方法】変更
【補正の内容】
【図１３Ｂ】
2004506470.tif 000017